(57)【要約】【課題】 新聞を新聞架けに架けて保管することができるうえ、新聞を読む時の邪魔にならない新聞用バインダを提供する。【解決手段】バインダ本体１の新聞綴じ代部２をプラスチック段ボール板材より形成して、該新聞綴じ代部２は前記プラスチック段ボール板材の中芯の方向が該新聞綴じ代部２の上下方向となるようにしたものであり、また、該新聞綴じ代部を挟持する断面コ字状のクリップ５の少なくとも２個を該新聞綴じ代部２の縦方向の両端内に納まるものとして、該新聞綴じ代部２の縦方向の両端側からスライド自在に装着する。【選択図】 図１
2011025421.tif 000002
【特許請求の範囲】
【請求項１】
バインダ本体の新聞綴じ代部をプラスチック段ボール板材より形成して、該新聞綴じ代部は前記プラスチック段ボール板材の中芯の方向が該新聞綴じ代部の上下方向となるようにしたものであり、また、該新聞綴じ代部を挟持する断面コ字状のクリップの少なくとも２個を該新聞綴じ代部の縦方向の両端内に納まるものとして、該新聞綴じ代部の縦方向の両端側からスライド自在に装着したことを特徴とする新聞用バインダ。
【請求項２】
請求項１に記載のバインダ本体をプラスチック段ボール板材を新聞紙の１頁大よりわずかに大きい表板部と裏板部とからなるものとして、前記新聞綴じ代部を表板部と裏板部の基端に一体に形成した新聞用バインダ。
【請求項３】
請求項２に記載のバインダ本体を新聞紙の２頁大よりわずかに大きい１枚のプラスチック段ボール板材よりなるものとして、該１枚のプラスチック段ボール板材を左右中央において折曲部により折り重さねて、該折曲部の両先方部を新聞綴じ代部に形成した表板部と裏板部とした新聞用バインダ。
【請求項４】
請求項２又は３に記載の表板部と裏板部とのそれぞれの左右中央部に左右方向に折曲できる縦折り目を設けた新聞用バインダ。
【請求項５】
請求項１に記載のバインダ本体を前記新聞綴じ代部のみからなるものとした新聞用バインダ。
【発明の詳細な説明】
【技術分野】
【０００１】
本発明は、喫茶店、ホテルのロビーや図書館その他の新聞を閲覧させる場所において、新聞を的確に綴じて新聞架けに架けることができるうえ、新聞を読む時に邪魔となることのない新聞用バインダに関するものである。
【背景技術】
【０００２】
喫茶店、ホテルのロビーや図書館その他の新聞を閲覧させる場所で使用されている新聞用バインダは、新聞の縦方向の折目側を挟み込む挟持棹部の両端に突出させた係止片部を新聞架けの係止鉤に架けるものが一般的であった（例えば、特許文献１参照）。
【０００３】
ところが、前記の新聞用バインダは、新聞を読む時に挟持棹部の両端から突出させた係止片部が邪魔となる問題がある。
【先行技術文献】
【特許文献】
【０００４】
【特許文献１】特開２００２−２９３０８３公報
【発明の概要】
【発明が解決しようとする課題】
【０００５】
本発明は前記したような問題を解決して、喫茶店、ホテルのロビーや図書館その他の新聞を閲覧させるにおいて、新聞を的確に綴じて新聞架けに架けることができるうえ、新聞を読む時に邪魔となることのない新聞用バインダを提供するものである。
【課題を解決するための手段】
【０００６】
前記した課題を解決した本発明の新聞用バインダは、バインダ本体の新聞綴じ代部をプラスチック段ボール板材より形成して、該新聞綴じ代部は前記プラスチック段ボール板材の中芯の方向が該新聞綴じ代部の上下方向となるようにしたものであり、また、該新聞綴じ代部を挟持する断面コ字状のクリップの少なくとも２個を該新聞綴じ代部の縦方向の両端内に納まるものとして、該新聞綴じ代部の縦方向の両端側からスライド自在に装着したことを特徴とするものを請求項１に記載の発明とする。
【０００７】
そして、請求項１に記載の新聞用バインダにおいて、バインダ本体をプラスチック段ボール板材を新聞紙の１頁大よりわずかに大きい表板部と裏板部とからなるものとして、前記新聞綴じ代部を表板部と裏板部の基端に一体に形成したものを請求項２に記載の発明とする。
【０００８】
また、請求項２に記載の新聞用バインダにおいて、バインダ本体を新聞紙の２頁大よりわずかに大きい１枚のプラスチック段ボール板材よりなるものとして、該１枚のプラスチック段ボール板材を左右中央において折曲部により折り重さねて、該折曲部の両先方部を新聞綴じ代部に形成した表板部と裏板部としたものを請求項３に記載の発明とする。
【０００９】
また、請求項２又は３に記載の新聞用バインダにおいて、表板部と裏板部とのそれぞれの左右中央部に左右方向に折曲できる縦折り目を設けたものを請求項４に記載の発明とする。
【００１０】
さらに、請求項１に記載の新聞用バインダにおいて、バインダ本体を前記新聞綴じ代部からのみなるものを請求項５に記載の発明とする。
【発明の効果】
【００１１】
前記のような請求項１に構成された発明は、プラスチック段ボール板材よりなる新聞綴じ代部に新聞の縦方向の折目を挟み込んだうえ、前記新聞綴じ代部を挟持する断面コ字状のクリップを縦方向の両端側から少なくとも２個をスライドさせて装着する。この場合、断面コ字状のクリップの先端はプラスチック段ボール板材の中芯と中芯との間に形成される縦方向の中空部を圧縮してその近傍の中芯を座屈させてこれにより生じる弾性を利用して新聞を的確に綴じておくことができるものである。
【００１２】
そして、バインダ本体の新聞綴じ代部は、中芯が新聞紙の縦方向となるようにしたプラスチック段ボール板材よりなるものとしているので、前記クリップの先端は縦方向の中芯に沿ってスライドすることとなるのでスムーズにスライドできるものである。また、前記クリップの先端は中芯と中芯との間に入り込むこととなるので、該クリップは前記新聞綴じ代部の横方向から離脱することのないものである。
【００１３】
また、前記新聞綴じ代部を挟持するクリップは新聞綴じ代部の縦方向の両端側から少なくとも２個をスライドさせて装着しているので、このうち両端の２個のクリップの端部を新聞綴じ代部の縦方向の両端から突出させれば、この突出部を新聞架けに架けておくことができるものである。また、新聞を新聞架けから外して読む時は２個の断面コ字状のクリップを内側にスライドさせて新聞綴じ代部の縦方向の両端側内に納めれば新聞を読むための邪魔にならないものである。
【００１４】
また、請求項２の発明のように、請求項１の新聞用バインダにおいて、バインダ本体をプラスチック段ボール板材を新聞紙の１頁大よりわずかに大きい表板部と裏板部とからなるものとして、前記新聞綴じ代部を表板部と裏板部の基端に一体に形成したものとすると、表板部と裏板部が新聞を的確に保護するものである。また、表板部と裏板部を新聞綴じ代部とは別異に製造することがにないので、表板部と裏板部製造コストが低くすることができる。また、バインダ本体全体がプラスチック段ボール板材よりなるものとしたので軽量なものとなる。
【００１５】
また、請求項３の発明のように、請求項２の新聞用バインダにおいて、バインダ本体を新聞紙の２頁大よりわずかに大きい１枚のプラスチック段ボール板材よりなるものとして、該１枚のプラスチック段ボール板材を左右中央において折曲部により折り重さねて、該折曲部の両先方部を新聞綴じ代部に形成した表板部と裏板部としたものは、より製造が容易なものである。
【００１６】
また、請求項４の発明のように、請求項２又は３の新聞用バインダにおいて、表板部と裏板部とのそれぞれの左右中央部に左右方向に折曲できる縦折り目を設けたものは、新聞を読む場合に表板部を前記クリップの先端を起点に裏側に引き回して裏板部に重ね合わせたうえ新聞を表側になるように４つ折りできるので、片手で保持して新聞を読むことができ、他方の手でコーヒーを飲むことができるものである。また、閉じた新聞がプラスチック段ボール板材よりなる表板部と裏板部の保形性により腰折れすることなくマガジンラックに立てて収納することができるものである。
【００１７】
さらに、請求項４の発明のように、請求項１に記載の新聞用バインダにおいて、バインダ本体を前記新聞綴じ代部からのみなるものとしても、新聞を的確に綴じて新聞架けに架けることができるうえ、新聞を読む時に邪魔となることはないものである。
【図面の簡単な説明】
【００１８】
【図１】本発明の実施形態を示す一部切斜視図。
【図２】本発明の実施形態を態様を異にして示す斜視図。
【図３】本発明の実施形態の他例を示す斜視図。
【図４】本発明の実施形態に使用するプラスチック段ボール板材の一例を示す斜視図。
【図５】本発明の実施形態の要部を示す断面図。
【図６】クリップを新聞綴じ代部に装着する状態を示す斜視図である。
【図７】クリップの他例を示す斜視図。
【図８】本発明の実施形態の他例を示す一部切斜視図である。
【図９】本発明の実施形態の他例を示す一部切斜視図である。
【図１０】新聞紙を開いた２頁大よりわずかに大きい１枚のプラスチック段ボール板材よりなるバインダ本体を示す斜視図。
【図１１】新聞架けに架けた状態を示す斜視図。
【図１２】マガジンスタンドに収納した状態を示す斜視図。
【発明を実施するための形態】
【００１９】
次に、本発明の好ましい実施の形態を図面に基づき説明する。
図１、図２において、１はバインダ本体である。このバインダ本体１の新聞綴じ代部２はプラスチック段ボール板材より形成したものである。そして、該新聞綴じ代部２を形成する前記プラスチック段ボール板材の中芯の方向は該新聞綴じ代部２の上下方向となるようにしている。また、前記バインダ本体１は図１、図２に示すものは、新聞綴じ代部２を基端に一体に設けたプラスチック段ボール板材よりなる表板部３と裏板部４よりなるものである。なお、プラスチック段ボール板材としては一体押出成形法により２枚のライナー１１、１１の間を支持する多数の中芯１２を備えた図４に示すをものを使用している。
【００２０】
５は前記プラスチック段ボール板材よりなる新聞綴じ代部２の縦方向の両端内に納まり該新聞綴じ代部２を挟持する断面コ字状のクリップである。このクリップ５は少なくとも２個を前記新聞綴じ代部２の縦方向の両端側からスライド自在に装着するものである。すなわち、図１、図２に示すものは、新聞綴じ代部４の縦の長さの１／２のクリップ５を２個をそれぞれ前記新聞綴じ代部２の縦方向の端部側からスライド自在に装着している。なお、図３に示すようにクリップ５を新聞綴じ代部２の縦の長さの１／３以下のものを３個、或いは図示はしていなが新聞綴じ代部４の縦の長さの１／４のものを４個としてもよい。
【００２１】
また、前記バインダ本体１はプラスチック段ボール板材を中芯１２を新聞紙の縦方向になるように新聞紙大よりわずかに大きい表板部３と裏板部４とからなるものとして、前記新聞綴じ代部２を表板部３と裏板部４の基端に一体に形成していることが好ましい。しかし、バインダ本体１を図８に示すように新聞綴じ代部２のみをプラスチック段ボール板材よりなるものとして表板部３と裏板部４をプラスチックシートよりなるものとしてよいものである。また、図９に示すようにバインダ本体１を新聞綴じ代部２のみよりなるものとしてもよい。
【００２２】
また、前記バインダ本体１を図１０に示す新聞紙を開いた２頁大よりわずかに大きい１枚のプラスチック段ボール板材よりなるものとして、該１枚のプラスチック段ボール板材を左右中央において折曲部１ａにより折り重なるように折曲して、該折曲部１ａの両先方部を新聞綴じ代部２に形成した表板部３と裏板部４とすることが部品点数も少なく最も好のましいものである。さらに、前記した表板部２と裏板部３のそれぞれの左右中央部に縦折り目３１、４１を設けたものとしている。
【００２３】
また、前記した断面コ字状のクリップ５は、上下の押片部５１、５２の後端を弾性連結片部５０で連結したもので、前記押片部５１、５２の先端間で前記新聞綴じ代部４を挟持するものである。そして、該クリップ５は前記新聞綴じ代部２の縦方向の両端部からスライド自在に装着するのに便宜なものとするため、縦方向の両端部の少なくとも一方端部に前記新聞綴じ代部２の縦方向の端部を係合する誘い込み部５３を形成している。図６に示すクリップ５にあっては、上下の押片部５１、５２のどちらか一方の端部を後端の外側から先端の内側に向けて切欠して誘い込み部５３を形成している。また、図７に示すクリップ５にあっては、クリップ５の端部を拡大して誘い込み部５３に形成したものとしている。
【００２４】
このように構成されたものは、バインダ本体１のプラスチック段ボール板材よりなる新聞綴じ代部２からクリップ５を外しておく。そして、バインダ本体１を開いて表板部３と裏板部４との間に新聞（イ）の折目を前記新聞綴じ代部４に位置させて閉じる。その後に断面コ字状の長尺のクリップ５を縦方向の両端側からスライドさせて装着する。これにより、図５に示すように断面コ字状のクリップ５の押片部５１、５２の先端５１ａ、５２ａはプラスチック段ボール板材のライナー１１、１１と中芯１２、１２との間に形成される縦方向の中空部１３を圧縮してその近傍の中芯１２を座屈させてこれにより生じる弾性を利用して新聞（イ）を的確に綴じておくことができるものである。
【００２５】
そして、バインダ本体１の新聞綴じ代部２は、プラスチック段ボール板材の中芯１２が新聞紙の縦方向となるようにしたものであるので、断面コ字状のクリップ５の押片部５１、５２の先端５１ａ、５２ａは縦方向の中芯１２と同一方向にスライドすることとなるのでスムーズにスライドできるものである。また、断面コ字状のクリップ５の押片部５１、５２の先端５１ａ、５２ａは横方向において中芯１２の間には嵌まり込むこととなるので、該クリップ５は前記新聞綴じ代部２の横方向から離脱することのないものである。
【００２６】
また、前記断面コ字状の長尺のクリップ５は新聞綴じ代部２の縦方向の両端側から少なくとも２個をスライドさせて装着しているので、図２に示すように新聞綴じ代部２の縦方向の両端側にある断面コ字状のクリップ５をそれぞれ新聞綴じ代部２の縦方向の両端から外側にスライドさせて突出させれば、図１１に示すようにこの突出部を新聞架け（ロ）に架けておくことができるものである。そして、新聞架け（ロ）から外して新聞を読む時は２個の断面コ字状のクリップ５、５を内側にスライドさせて新聞綴じ代部２の縦方向の両端側内に納めれば新聞を読むための邪魔にならないものである。
【００２７】
また、前記バインダ本体１をプラスチック段ボール板材を新聞紙大よりわずかに大きい表板部３と裏板部４とからなるものとして、前記新聞綴じ代部２を前記表板部３と裏板部４の基端に一体に形成したもとすることにより、製造コストが低くなるものである。また、バインダ本体１全体がプラスチック段ボール板材よりなるものとしたので軽量なものとなる。また、コーヒー等の飲食物を誤って溢して汚染しても簡単に洗浄できるものである。さらには、プラスチック段ボール板材を透明、半透明な透過性のあるものとすることにより、綴じた新聞の種類、発行年月日を外側から確認でき、特に表板部３或いは裏板部４の新聞名等の表示を付する必要がないものである。
【００２８】
また、前記バインダ本体１を１枚のプラスチック段ボール板材よりなるものとして、該１枚のプラスチック段ボール板材を折り重なるように左右中央の折曲部１ａにおいて折曲して、該折曲部１ａの両先方部を新聞綴じ代部２に形成した表板部３と裏板部４とすることにより製造が容易なものである。すなわち、図５に示すようにプラスチック段ボール板材は中芯１２を縦方向としているので、折曲部１ａの近傍のプラスチック段ボール板材の中芯１２は座屈するので容易に折曲できるので、前記１枚のプラスチック段ボール板材を折り重なるように左右中央において折曲するための機器、工具等を不要とするものである。
【００２９】
さらに、前記プラスチック段ボール板材よりなる前記表板部３と裏板部４との左右中央部に左右方向に折曲できる折り目３１、４１を設けたものは、新聞を読む場合に表板部３を前記断面コ字状の長尺のクリップ５の先端で挟持されている新聞綴じ代部２を起点に裏側に引き回して裏板部４に重ね合わせたうえ新聞を表側になるように４つ折りできるので、片手で保持して新聞を読むことができ、他方の手でコーヒーを飲むことができるものである。
【００３０】
また、表板部３を外側となるように、また裏板部４が内側となるようにそれぞれの折り目３１、４１を３６０度折曲して４つ折りすれば、閉じた新聞がプラスチック段ボール板材よりなる表板部３と裏板部４の保形性により腰折れすることなく図１１に示すようにマガジンラック（ハ）に立てて収納することができるものである。
なお、表板部３を内側に裏板部４を外側にして４つ折りする場合にも折り方が逆となるが同様に折り畳むことができるものである。
【００３１】
また、このように４つ折りすることにより、また、市販されている一般の本棚の奥行に納まるサイズの２１０ｍｍ程の横幅となるので上下の棚板の間隔を５５０ｍｍ以上とることにより本棚に立てた状態で収納でき取り出しも容易であり、また、クリップ５の背板部５３に新聞名、発行年月日を記しておくことにより、図書館などでの保管にも適したものである。
【符号の説明】
【００３２】
１ バインダ本体
２ 新聞綴じ代部
３ 表板部
４ 裏板部
５ クリップ
【図１】
2011025421.tif 000003
【図２】
2011025421.tif 000004
【図３】
2011025421.tif 000005
【図４】
2011025421.tif 000006
【図５】
2011025421.tif 000007
【図６】
2011025421.tif 000008
【図７】
2011025421.tif 000009
【図８】
2011025421.tif 000010
【図９】
2011025421.tif 000011
【図１０】
2011025421.tif 000012
【図１１】
2011025421.tif 000013
【図１２】
2011025421.tif 000014